(57)【特許請求の範囲】
【請求項１】
（ａ）下記一般式（１）〜（３）で表される化合物から選ばれる１種以上のカチオン系抗菌剤を０．１〜２０重量％及び（ｂ）重量平均分子量が１０００〜１０万のポリカルボキシレート系ポリマーを０．１〜２０重量％含有し、界面活性剤を総量で１０〜５０重量％含有し、ｐＨ（２５℃）が７．５〜１１である衣料用液体洗浄剤組成物。
【化１】
0003634217.tif 000007
〔式中Ｒ１及びＲ６は炭素数５〜１９のアルキル基又はアルケニル基であり、Ｒ２、Ｒ３は炭素数１〜３のアルキル基又はヒドロキシアルキル基である。Ｘは−ＣＯＯ−、−ＯＣＯ−、−ＣＯＮＨ−、−ＮＨＣＯ−又は、
【化２】
0003634217.tif 000008
である。Ｒ４は炭素数１〜３のアルキレン基であり、Ｒ５は炭素数１〜６のアルキレン基又は−(Ｏ−Ｒ７)ｎ−である。ここでＲ７はエチレン基もしくはプロピレン基であり、ｎは１〜１０の数である。ｍは０又は１である。さらにＹ−は陰イオン基である。〕
【化３】
0003634217.tif 000009
〔式中、Ｒ８〜Ｒ１１の中で２つ以上は炭素数８〜１０のアルキル基であり、それ以外は炭素数１〜３のアルキル基又はヒドロキシアルキル基である。Ｙ−は陰イオン基である。〕
【請求項２】
（ｂ）ポリカルボキシレート系ポリマーが、ポリエーテル化合物とモノエチレン性不飽和単量体とを重合させたポリマーである請求項１記載の衣料用液体洗浄剤組成物。
【請求項３】
更に（ｃ）非イオン界面活性剤を含有する請求項１又は２記載の衣料用液体洗浄剤組成物。
【請求項４】
更に（ｄ）陰イオン界面活性剤を含有し、（ａ）カチオン系抗菌剤と（ｄ）陰イオン界面活性剤のモル比が〔（ａ）成分〕＞〔（ｄ）成分×１．５〕である請求項１〜３の何れか１項記載の衣料用液体洗浄剤組成物。
【請求項５】
（ａ）カチオン系抗菌剤と（ｂ）ポリカルボキシレート系ポリマーの比率が、［｛（ａ）重量％／（ａ）分子量｝×（ａ）１分子中のカチオン価電数］／［｛（ｂ）重量％／（ｂ）重量平均分子量｝×（ｂ）１分子中の数平均カルボキシル基数］＝１０／１〜１／１である請求項１〜４の何れか１項記載の衣料用液体洗浄剤組成物。
【請求項６】
アルカリ剤を含有する請求項１〜５の何れか１項記載の衣料用液体洗浄剤組成物。
【発明の詳細な説明】
【０００１】
【発明の属する技術分野】
本発明は液体洗浄剤組成物に関する。
【０００２】
【従来の技術】
近年公衆衛生上の課題が見直されるべき事案が発生するに至り、衛生に対する意識が高まっている。洗濯用洗剤分野においても、洗濯後衣料の生乾き臭や洗濯後長期貯蔵による異臭の発生を抑制するという、抗菌による二次効果を奏した製品が上市されている。漂白剤の多くは抗菌効果を有することから、洗濯用洗剤に塩素系や酸素系の漂白剤を添加する試みは以前からなされていた。しかし、抗菌効果の高いことが知られている塩素系漂白剤は色柄物の色落ちの問題がある。酸素系の漂白剤は色落ちの問題はないが、一般に弱アルカリ性である衣料用重質液体洗剤に安定配合するのは困難であることが当業界では明かである。溶解性に優れ、かつ強固な汚れにも対応可能な衣料用重質液体洗剤にも、抗菌効果の付与が望まれている。衛生分野の洗浄剤に広く使用されているカチオン系の殺菌剤は、抗菌スペクトル帯が広く速効性に特徴があることから衣料用液体洗浄剤に配合する試みがなされている。特開平１−１９７５９８号公報には、ノニオン界面活性剤を主成分としてアニオン界面活性剤、カチオン系界面活性剤タイプの殺菌剤、更に安息香酸塩を配合した抗菌効果を示す安定な液体洗濯用洗剤が開示されている。しかし、上記特許公報に開示されている組成物は、いずれもカチオン系界面活性剤タイプの殺菌剤の添加により減じた再汚染防止性を回復させる対策を講じておらず、洗濯浴中の汚れを再付着させない技術の重要度が高いハードな汚れ用の洗剤（重質洗剤）としての性能は不十分である。
【０００３】
再汚染防止剤としては、例えばポリアクリル酸やアクリル酸／マレイン酸共重合体等のポリカルボキシレート系ポリマーが衣料用粉末洗剤に使用されていることが知られている。しかし、最近濃縮タイプが主流の衣料用液体洗剤のような界面活性剤を多量に配合し、かつ水分配合量が少ない系にこれらの化合物を配合すると、分離・白濁等、相安定性（外観）に問題が生じるという問題があった。
【０００４】
【発明が解決しようとする課題】
本発明の課題は、再汚染防止効果及び抗菌効果に優れ、更に製品保存安定性に優れる衣料用として好適な液体洗浄剤組成物を提供することにある。
【０００５】
【課題を解決するための手段】
本発明は、（ａ）カチオン系抗菌剤を０．１〜２０重量％及び（ｂ）重量平均分子量が１０００〜１０万のポリカルボキシレート系ポリマーを０．１〜２０重量％含有し、ｐＨ（２５℃）が７．５〜１１である液体洗浄剤組成物を提供するものである。
【０００６】
【発明の実施の形態】
（ａ）成分
本発明における（ａ）成分のカチオン系抗菌剤は、水溶性のものが好ましく、通常市販されているものを使用してもよく、また周知の方法で合成されたものを用いることができる。ここで、本発明における水溶性とは、２０℃の水への溶解度が１ｇ／１００ｇ以上、好ましくは２ｇ／１００ｇ以上であることをいう。更に抗菌剤としては、木綿金巾＃２００３に該化合物１重量％を均一に付着させた布を用いＪＩＳ  Ｌ  １９０２「繊維製品の抗菌性試験法」に準じた方法で抗菌性試験を行い阻止帯が見られる化合物が好ましい。
【０００７】
本発明の（ａ）成分としては、一般式（１）〜（３）で表される化合物から選ばれる１種以上が好ましい。
【０００８】
【化４】
0003634217.tif 000002
【０００９】
〔式中Ｒ１及びＲ６は炭素数５〜１９のアルキル基又はアルケニル基であり、Ｒ２、Ｒ３は炭素数１〜３のアルキル基又はヒドロキシアルキル基である。Ｘは−ＣＯＯ−、−ＯＣＯ−、−ＣＯＮＨ−、−ＮＨＣＯ−又は、
【００１０】
【化５】
0003634217.tif 000003
【００１１】
である。Ｒ４は炭素数１〜３のアルキレン基であり、Ｒ５は炭素数１〜６のアルキレン基又は−（Ｏ−Ｒ７）ｎ−である。ここでＲ７はエチレン基もしくはプロピレン基であり、ｎは１〜１０の数である。ｍは０又は１である。さらにＹ−は陰イオン基、好ましくはハロゲンイオン、炭素数１〜３のアルキル硫酸イオン又は脂肪酸イオンである。〕
【００１２】
【化６】
0003634217.tif 000004
【００１３】
〔式中、Ｒ８〜Ｒ１１の中で２つ以上、好ましくは２つは、炭素数８〜１４、好ましくは８〜１０のアルキル基であり、それ以外は炭素数１〜３のアルキル基又はヒドロキシアルキル基、好ましくはメチル基、エチル基、ヒドロキシエチル基である。Ｙ−は陰イオン基、好ましくはハロゲンイオン、炭素数１〜３のアルキル硫酸イオン又は脂肪酸イオンである。〕。
【００１４】
一般式（１）において、▲１▼Ｘがパラフェニレン基（−Ｃ６Ｈ４−）でｍ＝１の場合、Ｒ１は好ましくは炭素数５〜１６、更に好ましくは炭素数６〜１３、最も好ましくは炭素数７〜１０のアルキル基であり、Ｒ５は好ましくは−（Ｏ−Ｒ７）ｎ−基であり、Ｒ７は好ましくはエチレン基であり、ｎは好ましくは１〜５の数であり、Ｒ２及びＲ３は好ましくはメチル基又はヒドロキシエチル基であり、Ｒ４は好ましくはメチレン基である。また、一般式（１）において、▲２▼ｍ＝０の場合（１−２−ａ）あるいは▲３▼Ｘが−ＣＯＯ−、−ＯＣＯ−、−ＣＯＮＨ−、−ＮＨＣＯ−でｍ＝１の場合（１−２−ｂ）、Ｒ１は好ましくは炭素数７〜１８、更に好ましくは炭素数９〜１７、最も好ましくは炭素数１１〜１６のアルキル基であり、Ｒ５は好ましくはメチレン基であり、Ｒ２及びＲ３は好ましくはメチル基又はヒドロキシエチル基であり、Ｒ４は好ましくはメチレン基である。
【００１５】
一般式（２）において、Ｒ６は好ましくは炭素数８〜１８、更に好ましくは炭素数１１〜１７のアルキル基である。
【００１６】
本発明では、一般式（１）の化合物が殺菌効果の点で好ましい。また、一般式（３）において、好ましくはＲ８〜Ｒ１１のうち２つが炭素数８〜１０のアルキル基であり、残りの２つがメチル基又はヒドロキシエチル基である。
【００１７】
本発明では、一般式（３）の化合物を単独でも使用できるが、一般式（１）及び／又は一般式（２）の化合物と併用することが効果の点で好ましく、重量比は〔一般式（３）の化合物〕／〔一般式（１）の化合物＋一般式（２）の化合物〕＝１／１０〜１０／１、特に１／５〜５／１が好ましい。
【００１８】
（ｂ）成分
本発明における（ｂ）成分の重量平均分子量が１０００〜１０万のポリカルボキシレート系ポリマーは市販のものを使用しても良く、また常法にしたがって合成されたもの、天然物から誘導したものいずれも使用でき、ポリアクリル酸、ポリマレイン酸、アクリル酸−マレイン酸共重合体、カルボキシメチルセルロース、カルボキシメチル化デンプン、アルギン酸、無水マレイン酸−ペンテン共重合体、無水マレイン酸−ジイソブチレン共重合体、無水マレイン酸−メチルビニルエーテル共重合体、無水マレイン酸−イソブチレン共重合体、無水マレイン酸−酢酸ビニル共重合体、ポリエーテル化合物とモノエチレン性不飽和単量体とを重合させたポリマー、特開昭５９−６２６１４号公報記載のポリマーなどが使用できる。尚、重量平均分子量は、ポリエチレングリコールを標準とするゲルパーミエーションクロマトグラフィー（ＧＰＣ）により求められる。この中で、ポリアクリル酸、アクリル酸−マレイン酸共重合体、無水マレイン酸−ペンテン共重合体、ポリエーテル化合物とモノエチレン性不飽和単量体とを重合させたポリマーから選ばれる１種以上が好ましい。
【００１９】
本発明では特に、ポリエーテル化合物とモノエチレン性不飽和単量体とを重合させたポリマー（以後高分子化合物ｂ１とする）が液安定性の点で好ましい。モノエチレン性不飽和単量体としては、アクリル酸、メタアクリル酸、マレイン酸、フマル酸、イタコン酸及び無水マレイン酸を挙げることができ、特にアクリル酸、マレイン酸又はメタクリル酸が好ましい。
【００２０】
ポリエーテル化合物としては、
Ｚ−Ｏ（ＣＨ２ＣＨ２Ｏ）ｎＨ
（式中、Ｚは水素原子、メチル基、フェニル基又はベンジル基、好ましくはメチル基又はフェニル基であり、ｎは平均付加モル数であり、２〜２００の数である。）
で表されるものが好ましい。
【００２１】
本発明の高分子化合物ｂ１は、ポリエーテル化合物に対して、モノエチレン性不飽和単量体を重量比で少なくとも１／４以上の割合で反応させることによって得られるものが最も好ましい。また、本発明で好ましい高分子化合物ｂ１は上記モノエチレン性不飽和単量体とポリエーテル化合物とを通常のラジカル重合反応によって製造することができ、重合開始剤としては、公知のラジカル開始剤を使用することができる。具体的な高分子化合物ｂ１の製造方法としては、窒素気流下で、９０℃以上、好ましくは１００〜２００℃でポリエーテル化合物を攪拌しながら、モノエチレン性不飽和単量体と開始剤を別々に、且つゆっくりと滴下することによって、酸型の高分子化合物ｂ１を得ることができる。塩にする場合は、冷却後水酸化ナトリウム等のアルカリ剤で中和することによって、容易に得ることができ、また陰イオン界面活性剤と同じく、酸型のままで添加し組成物の調製時に中和してもよい。
【００２２】
液体洗浄剤組成物
本発明の液体洗浄剤組成物のｐＨは７．５〜１１（２５℃）である。該ｐＨに必要な量のアルカリ剤を配合することが好ましい。アルカリ剤としては、モノエタノールアミン、ジエタノールアミン、トリエタノールアミン、メチルモノエタノールアミン、ジメチルエタノールアミン、３−アミノプロパノール等のアルカノールアミン類、水酸化ナトリウム、水酸化カリウム等、珪酸ナトリウム、炭酸ナトリウム等の無機塩類を使用することができ、特にモノエタノールアミン、水酸化ナトリウム、水酸化カリウムから選ばれる１種以上が好ましい。
【００２３】
また、本発明の液体洗浄剤組成物は、（ａ）成分を０．１〜２０重量％、好ましくは０．５〜１５重量％、更に好ましくは１〜１０重量％含有する。また（ｂ）成分を０．１〜２０重量％、好ましくは０．２〜１０重量％、更に好ましくは０．５〜８重量％含有する。また、（ａ）成分と（ｂ）成分の洗浄剤組成物中の比率は、
［｛（ａ）重量％／（ａ）分子量｝×（ａ）１分子中のカチオン価電数］／［｛（ｂ）重量％／（ｂ）重量平均分子量｝×（ｂ）１分子中の数平均カルボキシル基数］＝１０／１〜１／１が好ましく、更に好ましくは８／１〜２／１である。
【００２４】
本発明では上記成分以外に洗浄性能の点から（ｃ）成分として非イオン界面活性剤を配合することが好ましい。非イオン界面活性剤は、例えばアルキル基の炭素数が８〜２０の脂肪族アルコール、アルキル基の炭素数が９〜２１の脂肪酸及び脂肪酸アルキルエステル、アルキル基の炭素数が８〜２０の脂肪族アミン等の、非共有電子対を持つ原子を１つ以上有する化合物にエチレンオキサイド、プロピレンオキサイドを常法に従い付加させたもの、糖由来のポリオールを親水基とするもの、あるいは脂肪酸アミド系のものが一般的である。
【００２５】
（ｃ）成分の非イオン界面活性剤としては、次の一般式（４）及び／又は（５）にて示される非イオン界面活性剤が好ましい。
Ｒ１２Ｏ（ＥＯ）ｍＨ          （４）
〔式中、Ｒ１２は平均炭素数８〜２０、好ましくは１０〜１８の一級の分岐鎖アルキル基及び／又は二級のアルキル基である。ＥＯはエチレンオキサイドであり、ｍは平均付加モル数として５〜２０である。〕
Ｒ１３（ＥＯ）ｋ／（ＰＯ）ｌＨ    （５）
〔式中、Ｒ１３は平均炭素数８〜２０、好ましくは１０〜１８の一級のアルキル基である。ＥＯはエチレンオキサイド、ＰＯはプロピレンオキサイドを示す。ｋ及びｌは平均付加モル数であり、ｋは５〜１５、ｌは１〜５である。ＥＯとＰＯはランダム付加又はＥＯを付加した後、ＰＯを付加してもよく、またその逆のようなブロック付加体でもよい。〕。
【００２６】
一般式（４）の非イオン界面活性剤は、通常市販されているものを使用してもよく、また周知の方法で合成されたもしくは天然油脂から誘導されたＲ１２のアルキル基を有するアルコールにＥＯを公知の方法で付加することによって製造することができる。
【００２７】
また、一般式（５）の非イオン界面活性剤は、通常市販されているものを使用してもよく、また周知の方法で合成されたもしくは天然油脂から誘導されたＲ１３のアルキル基を有するアルコールにＥＯ及びＰＯを公知の方法で付加することによって製造することができる。ＥＯとＰＯの付加方法がランダムであるか、ブロックであるか又はブロック付加の際の末端がＥＯであるか、ＰＯであるかの違いによって、本発明の（液体）洗浄剤組成物の性質は変わってくるが、本発明においてこれらの性質の違いは、基本的には既に知られている通りである。
【００２８】
非イオン界面活性剤は下記一般式（６）で示される非イオン界面活性剤を用いることで、特にエリ・そで口汚れに対する高洗浄力を得ることができる。
Ｒ１４Ｏ（ＥＯ）ｐ（ＰＯ）ｑ（ＥＯ）ｒＨ    （６）
〔式中、Ｒ１４は炭素数８〜２０の直鎖のアルキル基又はアルケニル基である。ＥＯはオキシエチレン基、ＰＯはオキシプロピレン基を示す。ｐ、ｑ及びｒは平均付加モル数を表しｐ＞０、ｑ＝１〜４、ｒ＞０、ｐ＋ｑ＋ｒ＝６〜１４、ｐ＋ｒ＝５〜１２である。好ましくはｐ＋ｑ＋ｒ＝７〜１４、ｐ＋ｒ＝６〜１２、ｑ＝１〜２である。〕。
【００２９】
一般式（６）の非イオン界面活性剤は、周知の方法で合成された、もしくは天然油脂から誘導されたＲ１４のアルキル基を有するアルコールにＥＯ、ＰＯの順序で付加した後、再度ＥＯを付加することで合成される。
【００３０】
非イオン界面活性剤としては、上記に示したもの以外に次の一般式（７）
Ｒ１５−（ＯＲ１６）ｘＧｙ        （７）
〔式中、Ｒ１５は直鎖又は分岐鎖の炭素数８〜１８のアルキル基、アルケニル基、又はアルキルフェニル基、Ｒ１６は炭素数２〜４のアルケニル基、Ｇは炭素数５又は６の還元糖に由来する残基、ｘは平均値０〜６の数、ｙは平均値１〜１０の数を示す。〕
で表されるアルキル多糖界面活性剤、脂肪酸アルカノールアミド、ポリヒドロキシ脂肪酸アミド等が配合できる。
【００３１】
本発明の液体洗浄剤組成物は、（ｃ）成分の非イオン界面活性剤を５〜４０重量％含有することが好ましい。
【００３２】
本発明の液体洗浄剤組成物は、上記成分以外に洗浄性能の点から、（ｄ）成分として陰イオン界面活性剤を配合することが好ましい。（ｄ）成分である陰イオン界面活性剤のうち、アルキルベンゼンスルホン酸及び／又はアルキルエーテル硫酸塩が好ましい。▲１▼アルキルベンゼンスルホン酸塩としては、洗剤用界面活性剤市場に一般に流通しているものの中で、アルキル鎖の平均炭素数が８〜１６のものであればいずれも用いることができ、例えば花王（株）製のネオペレックスＦ２５、Ｓｈｅｌｌ社製のＤｏｂｓ１０２等を用いることができる。また、工業的には、洗剤用原料として広く流通しているアルキルベンゼンをクロルスルホン酸、亜硫酸ガス等の酸化剤を用いてスルホン化して得ることもできる。アルキル基の平均炭素数は１０〜１４が好ましい。また、▲２▼アルキルエーテル硫酸塩としては、平均炭素数１０〜１８の直鎖もしくは分岐鎖１級アルコール又は直鎖２級アルコールに、ＥＯを１分子当たり平均０．５〜５モル付加させ、これを例えば特開平９−１３７１８８号記載の方法を用いて硫酸化して得ることができる。アルキル基の平均炭素数は１０〜１６が好ましい。本発明の液体洗浄剤組成物は、（ｄ）成分の陰イオン界面活性剤を０．５〜１０重量％含有することが洗浄性能の点で好ましく、特に（ｄ）成分として▲１▼及び▲２▼から選ばれる少なくとも１種をその合計でこの範囲で含有することが好ましい。
【００３３】
（ｄ）成分は、抗菌性の点から、〔（ａ）成分〕＞〔（ｄ）成分×１．５〕、特に〔（ａ）成分〕＞〔（ｄ）成分×２〕のモル比で組成物中に配合されるのが好ましい。
【００３４】
更に本発明の効果を損なわない範囲で、上記以外の界面活性剤を使用することができる。（ｄ）成分以外の陰イオン界面活性剤としては、アルキル硫酸エステル塩、アルケニル硫酸エステル塩、アルファスルホ脂肪酸メチルエステル塩、オレフィンスルホン酸塩、アルカンスルホン酸、牛脂やヤシ由来の脂肪酸塩等を少量用いても良い。その際、抗菌性の点から、〔（ａ）成分〕＞〔（（ｄ）成分＋その他の陰イオン界面活性剤）×１．５〕、特に〔（ａ）成分〕＞〔（（ｄ）成分＋その他の陰イオン界面活性剤）×２〕のモル比で組成物中に配合されるのが好ましい。
【００３５】
陰イオン界面活性剤の対イオンとしてはナトリウム、カリウム等のアルカリ金属以外に、マグネシウム等のアルカリ土類金属及び／又はモノ、ジ、トリエタノールアミン等のアルカノールアミン等が挙げられ、特にアルカノールアミンを用いることで液安定性が向上する。また、陰イオン界面活性剤を酸形態で組成中に配合してもよく、別途添加したアルカリ剤（アルカノールアミン等）で中和してもよい。
【００３６】
また風合いを向上させるためには、モノ長鎖アルキル４級アンモニウム塩等の陽イオン界面活性剤を併用することが好ましい。
【００３７】
両性界面活性剤としてはアミンオキサイド、アルキルカルボベタイン、アルキルスルホベタイン、アルキルアミドヒドロキシスルホベタイン、アルキルアミドアミン型ベタイン、アルキルイミダゾリン型ベタイン等が配合できる。
【００３８】
本発明の液体洗浄剤組成物は、界面活性剤を総量で組成物中１〜６０重量％、更に２〜５０重量％、特に１０〜５０重量％含有することが好ましい。
【００３９】
本発明組成物の液体洗浄剤組成物は残部は水でもよいが、水が少なくても比較的安定である。本発明の液体洗浄剤組成物の水分量は洗浄力の点で５〜５０重量％、特には５〜４０重量％である。
【００４０】
本発明には、任意成分として従来より洗剤に配合することが知られている成分を配合することができる。このような任意成分として、エタノール等のアルコール類、エチレングリコール、分子量２００以上〜数千位の低分子量のポリエチレングリコール及びプロピレングリコール等のグリコール類、パラトルエンスルホン酸、安息香酸塩（防腐剤としての効果もある）並びに尿素等の減粘剤や可溶化剤；相調整剤及び洗浄力の向上のためのポリオキシアルキレンベンジルエーテル、ポリオキシアルキレンフェニルエーテル；２価金属イオン捕捉能を有する多価カルボン酸塩としてニトリロ三酢酸塩、エチレンジアミン四酢酸塩、イミノ二酢酸塩、ジエチレントリアミン五酢酸塩、グリコールエーテルジアミン四酢酸塩、ヒドロキシエチルイミノ二酢酸塩及びトリエチレンテトラミン六酢酸塩等のアミノポリ酢酸塩、マロン酸、コハク酸、ジグリコール酸、リンゴ酸、酒石酸、クエン酸等の塩；ポリビニルピロリドン等の色移り防止剤；アミラーゼ、プロテアーゼ、リパーゼ、セルラーゼ等の酵素；塩化カルシウム、硫酸カルシウム、ギ酸、ホウ酸（ホウ素化合物）等の酵素安定化剤；チノパールＣＢＳ（チバスペシャルティケミカルス社製）、ホワイテックスＳＡ（住友化学社製）等の蛍光染料；柔軟性付与を目的としたシリコーン；消泡剤としてのシリカ、シリコーン；ブチルヒドロキシトルエン、ジスチレン化クレゾール、亜硫酸ナトリウム、亜硫酸水素ナトリウム等の酸化防止剤；そのほか蛍光染料；青味付け剤；香料；抗菌防腐剤等が挙げられる。
【００４１】
【発明の効果】
本発明の液体洗浄剤組成物は、特に泥汚れに対する再汚染防止効果及び抗菌効果に優れ、且つ製品保存安定性に優れる。
【００４２】
【実施例】
表１に示す液体洗浄剤組成物を調製し、得られた組成物を用いて下記のように殺菌性、汚れ再付着防止性及び液安定性の評価を行った。その結果を表１に示す。
【００４３】
〔殺菌性の評価〕
ＳＣＤＬＰ培地に前培養した菌（Ｓｔａｐｈｙｌｏｃｏｃｃｕｓ  ａｕｒｅｕｓ  ＩＦＯ１２７３２）を滅菌蒸留水に懸濁し、約１０７〜１０８Ｃｅｌｌｓ／ｍＬを０．１ｍＬ採取し、滅菌蒸留水で所定の濃度（抗菌剤濃度１、５、１０、２５、５０、７５、１００、２００、３００、５００ｐｐｍ）に希釈した液１０ｍＬに接種し、室温にて作用させた。一定時間（５、１０、１５、３０分）毎に菌接触液を一白金耳量採取し、後培養用のＳＣＤＬＰ培地０．３ｍＬの入ったミクロシャーレ（ＣＯＲＮＩＮＧ社製、９６−Ｃｅｌｌｓ  Ｗｅｌｌｓ）へ接種した〔各洗浄剤組成物について希釈率１０種（濃度）×菌接触時間４種（時間）＝４０カ所〕。３７℃２日間培養し、菌の発育を肉眼で観察し、効果の強度を殺菌エリア数で判定した。すなわち、ミクロプランター上で菌の生育していない箇所を測定することで判定した（最大４０）。
【００４４】
〔汚れ再付着防止性の評価〕
処理法
木綿の白布（金巾２００３布）を１０ｃｍ×１０ｃｍに裁断し、５枚１組とした。評価用洗剤水溶液１Ｌに２００ｍｅｓｈの篩いを通過した園芸用鹿沼赤土２．５ｇを加え、ターゴトメーターにて洗浄（洗浄時間１０分、液体洗浄剤組成物濃度０．０７％、水の硬度７１．２ｍｇＣａＣＯ３／Ｌ、水温２０℃）した後、２０℃水道水にて５分間流水すすぎを行った。
再汚染防止率
洗浄前の原布（白布）及び試験後の汚染布の４６０ｎｍにおける反射率を日本電色工業（株）３００Ａにて測定し、次式によって再汚染防止率を求める。
再汚染防止率（％）＝（試験後の反射率／原布の反射率）×１００
評価法
上記式にて得られた再汚染防止率より、汚れ再付着防止性を下記のごとく評価した。
◎；再汚染防止率が７０％以上である。
○；再汚染防止率が６０％以上７０％未満である。
△；再汚染防止率が５０％以上６０％未満である。
×；再汚染防止率が５０％未満である。
【００４５】
〔液安定性の評価〕
５０ｍＬのサンプルビン（Ｎｏ．６広口規格ビン、ガラス製、直径４０ｍｍ、高さ８０ｍｍの円筒形）に、表１の液体洗浄剤組成物を４０ｍＬ充填し、蓋をした後、２５℃の恒温室で３０日間静置した。液体の安定性は目視で外観を下記の基準で判定した。
◎；均一液体相であり、液安定性に優れる。
○；やや分離又は析出しているように見えるが気にならない程度である。
×；分離又は析出が認められる。
【００４６】
【表１】
0003634217.tif 000005
【００４７】
（注）表１中の成分を下記に示す。
・化合物ａ：一般式（１）のＲ１が炭素数１１〜１５（平均炭素数１２．０）のアルキル基、Ｒ２、Ｒ３がメチル基、ｍが０、Ｒ４、Ｒ５がメチレン基、Ｙ−が塩化物イオンである化合物
・化合物ｂ：一般式（１）のＲ１が１，１，３，３−テトラメチルブチル基、Ｒ２、Ｒ３がメチル基、Ｘが
【００４８】
【化７】
0003634217.tif 000006
【００４９】
で、ｍが１、Ｒ４がメチレン基、Ｒ５が−（ＯＣＨ２ＣＨ２）２−、Ｙ−が塩化物イオンである化合物
・化合物ｃ：一般式（２）のＲ６が平均炭素数１６のアルキル基、Ｙ−が塩化物イオンである化合物
・化合物ｄ：一般式（３）のＲ８、Ｒ９が平均炭素数１０のアルキル基、Ｒ１０、Ｒ１１がメチル基、Ｙ−が塩化物イオンである化合物
・高分子化合物ｅ：ポリアクリル酸（重量平均分子量５０００、固形分４０．５％）
・高分子化合物ｆ：無水マレイン酸ペンテン共重合体（モル比５０／５０、重量平均分子量６０００、固形分４０．１％）
・高分子化合物ｇ：特開平１０−６０４７６の１１頁６行〜１３行記載の方法で合成したフェノキシポリエチレングリコール、アクリル酸、マレイン酸共重合体（重量平均分子量１００００、固形分５１．２％）
・非イオン界面活性剤ｈ：炭素数１０〜１４の直鎖第１級アルコールにＥＯを平均５モル、ＰＯを平均２モル、ＥＯを平均３モルの順にブロック付加させたもの
・非イオン界面活性剤ｉ：炭素数１０〜１４の直鎖第１級アルコールにＥＯを平均１２モル付加させたもの
・非イオン界面活性剤ｊ：炭素数１０〜１４の直鎖第２級アルコールにＥＯを平均８モル付加させたもの
・非イオン界面活性剤ｋ：炭素数１０〜１４の直鎖第１級アルコールにＥＯを平均１０モル、ＰＯを平均２モルランダム付加させたもの
・陰イオン界面活性剤ｌ：炭素数１０〜１４の直鎖アルキルベンゼンスルホン酸（平均分子量３２３）
・陰イオン界面活性剤ｍ：平均炭素数１２の直鎖第１級アルコールにＥＯを１分子当たり平均４モル付加させたアルキルエーテル硫酸ナトリウム塩
・陰イオン界面活性剤ｎ：平均炭素数１２の分岐鎖第１級アルコールにＥＯを１分子当たり平均３モル付加させたアルキルエーテル硫酸ナトリウム塩
・陰イオン界面活性剤ｏ：平均炭素数１４の直鎖第１級アルキル硫酸ナトリウム塩
・陰イオン界面活性剤ｐ：平均炭素数１６の分岐鎖第１級アルキル硫酸マグネシウム塩
・脂肪酸：炭素数１２〜１６のヤシ油系脂肪酸（平均分子量２２０）
・ベタイン：ラウリルカルボキシメチルヒドロキシエチルイミダゾリニウムベタイン（アンヒトール２０ＹＢ／花王（株）社製）
・ポリエチレングリコールフェニルエーテル：ポリオキシエチレンモノフェニルエーテル（ＥＯ平均３モル付加）
・酵素：デュラザイム１６．０Ｌ（プロテアーゼ、ノボノルディスクバイオインダストリー株式会社製）
蛍光染料：チノパールＣＢＳ−Ｘ（チバスペシャリティケミカルス社製）